(57)【要約】  人命緊急救助システムが開示される。前記人命緊急救助システムは、インターネット網を介してプログラムのダウンロードが可能であり、ＧＰＳ受信装置、傾斜センサー、マイク、およびカメラが設けられた無線端末と；前記インターネット網を介して前記無線端末にダウンロード可能に提供され、前記無線端末で実行されるユーザの緊急信号の入力動作によって緊急救助信号を活性化させる救助信号活性化部と、前記救助信号活性化部と連結され、前記救助信号活性化部で緊急救助信号が活性化すれば、前記無線端末のＧＰＳ受信装置、マイク、およびカメラを作動させる無線端末制御部とを含むダウンロード可能なプログラムと；前記制御部が、前記無線端末のＧＰＳ受信装置、マイク、およびカメラを作動させる制御信号の生成可否を確認可能に前記制御部と通信し、前記制御信号が生成されたものと確認されれば、前記無線端末から前記無線端末の位置情報、前記無線端末周辺の音声情報、前記無線端末周辺の映像情報を含む危急現場情報と前記緊急救助信号を受信するように構成された管制サーバーと；前記管制サーバーと通信して前記危急現場情報を受信する受信部と、前記受信部で受信された危急現場情報を出力して現場危険レベルを判断する危急現場情報出力部と、前記現場危険レベルに合う危急状況処理段階を実施するために提供される状況処理手段とを具備する危険状況処理端末と；を含むことを特徴とする。
2019507927.tif 000002
【特許請求の範囲】
【請求項１】
インターネット網を介してプログラムのダウンロードが可能であり、ＧＰＳ受信装置、傾斜センサー、マイク、およびカメラが設けられた無線端末と；
前記インターネット網を介して前記無線端末にダウンロード可能に提供され、前記無線端末で実行されるユーザの緊急信号の入力動作によって緊急救助信号を活性化させる救助信号活性化部と、前記救助信号活性化部と連結され、前記救助信号活性化部で緊急救助信号が活性化すれば、前記無線端末のＧＰＳ受信装置、マイク、およびカメラを作動させる無線端末制御部とを含むダウンロード可能なプログラムと；
前記制御部が、前記無線端末のＧＰＳ受信装置、マイク、およびカメラを作動させる制御信号の生成可否を確認可能に前記制御部と通信し、前記制御信号が生成されたものと確認されれば、前記無線端末から前記無線端末の位置情報、前記無線端末周辺の音声情報、前記無線端末周辺の映像情報を含む危急現場情報と前記緊急救助信号を受信するように構成された管制サーバーと；
前記管制サーバーと通信して前記危急現場情報を受信する受信部と、前記受信部で受信された危急現場情報を出力して現場危険レベルを判断する危急現場情報出力部と、前記現場危険レベルに合う危急状況処理段階を実施するために提供される状況処理手段とを具備する危険状況処理端末と；を含むことを特徴とする、人命緊急救助システム。
【請求項２】
前記救助信号活性化部は、前記無線端末のタッチスクリーン画面に前記緊急信号の入力動作の作動のためのボタンタイプのアイコンを表示するように構成され、
前記救助信号活性化部は、前記アイコンを押す緊急信号の入力動作が一定時間持続する場合、および前記傾斜センサーで傾斜が発生する傾斜動作回数が一定回数以上であれば、前記緊急救助信号を活性化させるように構成されることを特徴とする請求項１に記載の人命緊急救助システム。
【請求項３】
前記管制サーバーは、前記無線端末の通信サービスを提供する通信社サーバーから提供される前記無線端末のユーザ情報を前記受信部に出力するように構成され、
前記受信部は、
前記危急現場情報がリアルタイムでアップデートされる危急現場情報保存部と；
前記管制サーバーと通信して前記無線端末からの緊急救助信号を受信し、受信された緊急救助信号に対応する無線端末のユーザ情報および前記緊急救助信号が受信された時点の時間情報を出力する呼出情報出力部と；
前記緊急救助信号が前記呼出情報出力部に受信されれば、前記危険状況処理端末を前記無線端末と直接的な通信が可能に連結する端末連結部と；を含むことを特徴とする請求項２に記載の人命緊急救助システム。
【請求項４】
第３項において、
前記危急現場情報出力部は、
前記受信部を介して受信された前記無線端末の位置情報を地図の形態で表示する位置情報表示部と；
前記受信部を介して受信された前記無線端末周辺の音声情報を音声で出力する音声出力部と；
前記受信部を介して受信された前記無線端末周辺の映像情報を映像で表示する映像表示部と；を含み、
前記状況処理手段は、
前記音声出力部の作動をオン／オフさせる音声出力選択部と；
前記映像表示部の作動をオン／オフさせる映像表示選択部と；
人命救助機関を呼び出す人命救助機関呼出部と；
前記無線端末との音声通話機能を提供する音声通話部と；を含むことを特徴とする請求項３に記載の人命緊急救助システム。
【請求項５】
前記危険状況処理端末は、
状況終了ボタンと；
前記状況終了ボタンが選択されれば、前記呼出情報出力部で出力される無線端末のユーザ情報および緊急救助信号が受信された時点の時間情報をリスト化して保存する呼出情報保存部と；
前記音声出力部および音声通話部と連結され、前記音声出力部および音声通話部が作動される場合、前記音声出力部で出力される声および前記音声通話部を介した通話内容を保存する音声データ保存部と；をさらに含むことを特徴とする請求項３に記載の人命緊急救助システム。
【請求項６】
ａ）無線端末のユーザの緊急信号の入力動作によって緊急救助信号を活性化させ、緊急救助信号が活性化した場合、ＧＰＳ受信装置、傾斜センサー、マイク、およびカメラを制御するように構成されたプログラムが設置されている無線端末において前記ＧＰＳ受信装置、マイク、およびカメラを作動させる制御信号が生成されたか否かを管制サーバーで確認する段階と；
ｂ）前記制御信号が生成されたものと確認されれば、前記無線端末から前記無線端末の位置情報、前記無線端末周辺の音声情報、前記無線端末周辺の映像情報を含む危急現場情報と前記緊急救助信号を管制サーバーが受信する段階と；
ｃ）危険状況処理端末が前記管制サーバーと通信して前記危急現場情報を受信し、受信された危急現場情報を出力して現場危険レベルを判断した後、現場危険レベルに合う危急状況処理段階を実施する段階と；を含むことを特徴とする、人命緊急救助方法。
【請求項７】
前記ｃ）段階は、
前記管制サーバーから受信された危急現場情報をリアルタイムでアップデートして保存する段階と；
前記管制サーバーから無線端末からの緊急救助信号を受信し、受信された緊急救助信号に対応する無線端末のユーザ情報および緊急救助信号が受信された時点の時間情報を出力する段階と；
前記管制サーバーから受信された危急現場情報に含まれた無線端末の位置情報、無線端末周辺の音声情報、無線端末周辺の映像情報を表示する段階と；
前記危急現場情報を確認して現場危険レベルの程度に応じて通話を試みたり人命救助機関を呼び出す段階と；
緊急救助過程を終了するための状況終了信号を生成して緊急救助過程を終了させる段階と；を含むことを特徴とする請求項６に記載の人命緊急救助方法。
【発明の詳細な説明】
【技術分野】
【０００１】
本発明は、人命緊急救助システムおよびこれを利用した人命緊急救助方法に関し、より詳細には、危急状況に迅速に対処可能な人命緊急救助システムおよびこれを利用した人命緊急救助方法に関する。
【背景技術】
【０００２】
最近、移動通信加入者の爆発的な増加に伴い、スマートフォン、タブレットパソコンなどのモバイル端末は、この頃家庭の周辺で頻繁に見ることができる必需品として認識するようになるにつれて、モバイル端末の製造メーカーは、さらに良い性能を有し、多機能性のモバイル端末を発売していて、これと歩調を合わせて通信サービス業界では、さらに高い水準の通信サービスおよび様々な付加サービスを提供している。
【０００３】
このように、近年、発売される通信サービスのうちモバイル端末の発信地の追跡を介したユーザの位置を確認できる技術が開発されるにつれて、ユーザに応急状況が発生する場合、これをユーザが携帯したモバイル端末で自動発信されて応急機関または警察署などの司法機関に救助を要請する救助要請機能を有するモバイル端末および移動通信サービスが発売されている。
【０００４】
しかしながら、モバイル端末の発信地の追跡を介したユーザ位置を確認する方法にてモバイル端末ユーザの危急状況を把握するのは困難である。すなわち、危急の状況の場合にユーザのモバイル端末で発信される位置だけではユーザの位置のみを把握することができ、ユーザの現在の位置における危険状況の程度を把握することは不可能である。
【０００５】
また、モバイル端末を介した救助要請過程で警察官、１１９隊員が現場に出動した場合、危急状況の程度がモバイル端末のユーザが自ら対処可能な程度であるか、危急状況が解除された場合、出動した警察官、１１９隊員は不要に現場に移動するようになるにつれて、他の危急状況の対処が難しくなる問題がある。
【０００６】
したがって、従来のモバイル端末を利用した構造システムは、危急の状況の場合にモバイル端末ユーザの危険水準の程度による適切な対処が難しいという問題があった。
【発明の概要】
【発明が解決しようとする課題】
【０００７】
したがって、本発明が解決しようとする課題は、無線端末を所持した無線端末のユーザは、迅速に緊急救助信号を生成することができ、緊急救助信号が生成された後、無線端末のユーザが位置した現場の状況をリアルタイムで直ちに確認して、無線端末のユーザの現在の危険レベルに合う迅速な措置が行われ得るようにした人命緊急救助システムおよびこれを利用した人命緊急救助方法を提供することにある。
【課題を解決するための手段】
【０００８】
前述した課題を解決するための本発明による人命緊急救助システムは、インターネット網を介してプログラムのダウンロードが可能であり、ＧＰＳ受信装置、傾斜センサー、マイク、カメラが設けられた無線端末と；前記インターネット網を介して前記無線端末にダウンロード可能に提供され、前記無線端末で実行されるユーザの緊急信号の入力動作によって緊急救助信号を活性化させる救助信号活性化部と、前記救助信号活性化部と連結され、前記救助信号活性化部で緊急救助信号が活性化すれば、前記無線端末のＧＰＳ受信装置、マイク、カメラを作動させる無線端末制御部とを含むダウンロード可能なプログラムと；前記制御部が前記無線端末のＧＰＳ受信装置、マイク、カメラを作動させる制御信号の生成可否を確認可能に前記制御部と通信し、前記制御信号が生成されたものと確認されれば、前記無線端末から前記無線端末の位置情報、前記無線端末の周辺の音声情報、前記無線端末の周辺の映像情報を含む危急現場情報と前記緊急救助信号を受信するように構成された管制サーバーと；前記管制サーバーと通信して前記危急現場情報を受信する受信部と、前記受信部で受信された危急現場情報を出力して現場危険レベルを判断する危急現場情報出力部と、前記現場危険レベルに合う危急状況処理段階を実施するために提供される状況処理手段とを具備する危険状況処理端末と；を含むことを特徴とする。
【０００９】
一実施形態において、前記救助信号活性化部は、前記無線端末のタッチスクリーン画面に前記緊急信号入力動作の作動のためのボタンタイプのアイコンを表示するように構成され、前記救助信号活性化部は、前記アイコンを押す緊急信号入力動作が一定時間持続する場合、および前記傾斜センサーで傾斜が発生する傾斜動作回数が一定回数以上であれば、前記緊急救助信号を活性化させるように構成され得る。
【００１０】
一実施形態において、前記管制サーバーは、前記無線端末の通信サービスを提供する通信社サーバーから提供される前記無線端末のユーザ情報を前記受信部に出力するように構成され、前記受信部は、前記危急現場情報がリアルタイムでアップデートされる危急現場情報保存部と；前記管制サーバーと通信して前記無線端末からの緊急救助信号を受信し、受信された緊急救助信号に対応する無線端末のユーザ情報および前記緊急救助信号が受信された時点の時間情報を出力する呼出情報出力部と；前記緊急救助信号が前記呼出情報出力部に受信されれば、前記危険状況処理端末を前記無線端末と直接的な通信が可能に連結する端末連結部と；を含むことができる。
【００１１】
一実施形態において、前記危急現場情報出力部は、前記受信部を介して受信された前記無線端末の位置情報を地図の形態で表示する位置情報表示部と；前記受信部を介して受信された前記無線端末周辺の音声情報を音声で出力する音声出力部と；前記受信部を介して受信された前記無線端末周辺の映像情報を映像で表示する映像表示部と；を含み、前記状況処理手段は、前記音声出力部の作動をオン／オフさせる音声出力選択部と；前記映像表示部の作動をオン／オフさせる映像表示選択部と；人命救助機関を呼び出す人命救助機関呼出部と；前記無線端末との音声通話機能を提供する音声通話部と；を含むことができる。
【００１２】
一実施形態において、前記危急状況処理端末は、状況終了ボタンと；前記状況終了ボタンが選択されれば、前記呼出情報出力部で出力される無線端末のユーザ情報および緊急救助信号が受信された時点の時間情報をリスト化して保存する呼出情報保存部と；前記音声出力部および音声通話部と連結され、前記音声出力部および音声通話部が作動される場合、前記音声出力部で出力される音声および前記音声通話部を介した通話内容を保存する音声データ保存部と；をさらに含むことができる。
【００１３】
本発明の一実施形態による人命緊急救助方法は、ａ）無線端末のユーザの緊急信号入力動作によって緊急救助信号を活性化させ、緊急救助信号が活性化した場合、ＧＰＳ受信装置、傾斜センサー、マイク、カメラを制御するように構成されたプログラムが設置されている無線端末において前記ＧＰＳ受信装置、マイク、カメラを作動させる制御信号が生成されたか否かを管制サーバーで確認する段階と；
ｂ）前記制御信号が生成されたものと確認されれば、前記無線端末から前記無線端末の位置情報、前記無線端末周辺の音声情報、前記無線端末周辺の映像情報を含む危急現場情報と前記緊急救助信号を管制サーバーが受信する段階と；
ｃ）危険状況処理端末が前記管制サーバーと通信して前記危急現場情報を受信し、受信された危急現場情報を出力して現場危険レベルを判断した後、現場危険レベルに合う危急状況処理段階を実施する段階と；を含むことを特徴とする。
【００１４】
一実施形態において、前記ｃ）段階は、前記管制サーバーから受信された危急現場情報をリアルタイムでアップデートして保存する段階と；前記管制サーバーから無線端末からの緊急救助信号を受信し、受信された緊急救助信号に対応する無線端末のユーザ情報および緊急救助信号が受信された時点の時間情報を出力する段階と；前記管制サーバーから受信された危急現場情報に含まれた無線端末の位置情報、無線端末周辺の音声情報、無線端末周辺の映像情報を表示する段階と；前記危急現場情報を確認して現場危険レベルの程度に応じて通話を試みたり人命救助機関を呼び出す段階と；緊急救助過程を終了するための状況終了信号を生成して緊急救助過程を終了させる段階と；を含むことができる。
【発明の効果】
【００１５】
本発明による人命緊急救助システムおよびこれを利用した人命緊急救助方法によれば、無線端末を所持した無線端末のユーザは、迅速に緊急救助信号を生成することができ、緊急救助信号が生成された後、無線端末のユーザが位置する現場の状況をリアルタイムで直ちに確認して、無線端末のユーザの現在の危険レベルに合う迅速な措置が行われ得るという利点がある。
【図面の簡単な説明】
【００１６】
【図１】図１は、本発明の一実施形態による人命緊急救助システムを説明するためのブロック図である。
【図２】図２は、図１で説明される救助信号活性化部を介して提供されるアイコンが無線端末の画面に表示される形態を例示する図である。
【図３】図３は、図１で説明される危険状況処理端末において情報が表示される例示を示す図である。
【図４】図４は、本発明の一実施形態による人命緊急救助方法の流れを説明するためのフローチャートである。
【図５】図５は、図３で説明されるｃ）段階の流れを示すフローチャートである。
【発明を実施するための形態】
【００１７】
本発明による人命緊急救助システムは、インターネット網を介してプログラムのダウンロードが可能であり、ＧＰＳ受信装置、傾斜センサー、マイク、カメラが設けられた無線端末と；前記インターネット網を介して前記無線端末にダウンロード可能に提供され、前記無線端末で実行されるユーザの緊急信号入力動作によって緊急救助信号を活性化させる救助信号活性化部と、前記救助信号活性化部と連結され、前記救助信号活性化部で緊急救助信号が活性化すれば、前記無線端末のＧＰＳ受信装置、マイク、カメラを作動させる無線端末制御部とを含むダウンロード可能なプログラムと；前記制御部が前記無線端末のＧＰＳ受信装置、マイク、カメラを作動させる制御信号の生成可否を確認可能に前記制御部と通信し、前記制御信号が生成されたものと確認されれば、前記無線端末から前記無線端末の位置情報、前記無線端末周辺の音声情報、前記無線端末周辺の映像情報を含む危急現場情報と前記緊急救助信号を受信するように構成された管制サーバーと；前記管制サーバーと通信して前記危急現場情報を受信する受信部と、前記受信部で受信された危急現場情報を出力して現場危険レベルを判断する危急現場情報出力部と、前記現場危険レベルに合う危急状況処理段階を実施するために提供される状況処理手段とを具備する危険状況処理端末と；を含むことができる。
【００１８】
また、本発明による人命緊急救助方法は、ａ）無線端末のユーザの緊急信号入力動作によって緊急救助信号を活性化させ、緊急救助信号が活性化した場合、ＧＰＳ受信装置、傾斜センサー、マイク、カメラを制御するように構成されたプログラムが設置されている無線端末において前記ＧＰＳ受信装置、マイク、カメラを作動させる制御信号が生成されたか否かを管制サーバーで確認する段階と、
ｂ）前記制御信号が生成されたものと確認されれば、前記無線端末から前記無線端末の位置情報、前記無線端末周辺の音声情報、前記無線端末周辺の映像情報を含む危急現場情報と前記緊急救助信号を管制サーバーが受信する段階と、
ｃ）危険状況処理端末が前記管制サーバーと通信して前記危急現場情報を受信し、受信された危急現場情報を出力して現場危険レベルを判断した後、現場危険レベルに合う危急状況処理段階を実施する段階とを含むことができる。
【００１９】
以下、添付の図面を参照して本発明の実施形態による人命緊急救助システムおよびこれを利用した人命緊急救助方法について詳細に説明する。本発明は、多様な変更を加えることができ、様々な形態を有することができるところ、特定の実施形態を図面に例示し、本文に詳細に説明しようとする。しかし、これは、本発明を特定の開示形態に対して限定しようとするものではなく、本発明の思想および技術範囲に含まれるすべての変更、均等物ないし代替物を含むものと理解されなければならない。各図面を説明するに際して、類似の参照符号を類似の構成要素に対して使用した。添付の図面において、構造物の寸法は、本発明の明確性を図るために実際より拡大して示したものである。
【００２０】
第１、第２等の用語は、多様な構成要素を説明するのに使用され得るが、前記構成要素は、前記用語により限定されるものではない。前記用語は、一つの構成要素を他の構成要素から区別する目的だけで使用される。例えば、本発明の権利範囲を逸脱することなく、第１構成要素は、第２構成要素と命名され得、同様に、第２構成要素も第１構成要素と命名され得る。
【００２１】
本出願で使用した用語は、単に特定の実施形態を説明するために使用されたものであって、本発明を限定しようとする意図ではない。単数の表現は、文脈上明白に異なって意味しない限り、複数の表現を含む。本出願で「含む」または「有する」等の用語は、明細書上に記載された特徴、数字、段階、動作、構成要素、部分品またはこれらを組み合わせたものが存在することを指定しようとするものであって、一つまたはそれ以上の他の特徴や数字、段階、動作、構成要素、部分品またはこれらを組み合わせたものの存在または付加可能性をあらかじめ排除しないものと理解されなければならない。
【００２２】
異なって定義されない限り、技術的や科学的な用語を含んでここで使用されるすべての用語は、本発明の属する技術分野における通常の知識を有する者により一般的に理解されるものと同じ意味を有している。一般的に使用される辞書に定義されているもののような用語は、関連技術の文脈上有する意味と一致する意味を有するものと解釈されるべきであり、本出願で明白に定義しない限り、理想的または過度に形式的な意味と解釈されない。
【００２３】
図１は、本発明の一実施形態による人命緊急救助システムを説明するためのブロック図である。
図１を参照すると、本発明の一実施形態による人命緊急救助システムは、無線端末１００と、前記無線端末１００にダウンロード可能なプログラム２００と、管制サーバー３００と、危険状況処理端末４００とを含むことができる。
【００２４】
無線端末１００は、インターネット網を介してプログラムのダウンロードが可能であり、ＧＰＳ受信装置１１０、傾斜センサー１２０、マイク１３０、およびカメラ１４０が設けられる端末である。無線端末１００は、個人が携帯可能な端末であって、例えば、スマートフォン、タブレットパソコンのうちいずれか一つでありうる。
【００２５】
プログラム２００は、インターネット網を介して無線端末１００にダウンロード可能に提供され、前記無線端末１００に設置され得る。プログラム２００は、救助信号活性化部２１０および無線端末制御部２２０を含むことができる。
【００２６】
救助信号活性化部２１０は、無線端末１００のユーザが緊急救助を要請することができるようにする。このために、救助信号活性化部２１０は、無線端末１００のタッチスクリーン画面１０１にユーザの緊急信号入力動作の作動のためのボタンタイプのアイコン２１１を表示するように構成される。無線端末１００のタッチスクリーン画面１０１にボタンタイプのアイコン２１１が提供された状態は、図２に例示されている。前記アイコン２１１は、無線端末１００のタッチスクリーン画面１０１内で位置移動が可能に提供され得、無線端末１００のタッチスクリーン画面１０１がロックされた状態およびタッチスクリーン画面１０１が無線端末１００の操作が可能に開かれた状態で常に露出するように提供され得る。
【００２７】
また、救助信号活性化部２１０は、無線端末１００に提供された前記アイコン２１１をユーザが押す緊急信号入力動作が一定時間持続する場合、および無線端末１００の傾斜センサー１２０で傾斜が発生する傾斜動作回数が一定回数以上であれば、緊急救助信号を活性化させるように構成され得る。例えば、前記緊急信号入力動作が５秒以上持続する場合、緊急救助信号を活性化させることができ、前記傾斜センサー１２０で傾斜が発生する回数が５回以上持続する場合、緊急救助信号を活性化させるように構成され得る。
【００２８】
無線端末制御部２２０は、前記救助信号活性化部２１０と連結され、救助信号活性化部２１０で緊急救助信号が活性化すれば、制御信号が生成されて、無線端末１００のＧＰＳ受信装置１１０、マイク１３０、およびカメラ１４０を作動させるように構成され得る。
【００２９】
管制サーバー３００は、無線端末１００と通信して無線端末１００に提供されたプログラム２００を介して無線端末制御部２２０の作動可否の確認が可能に構成され得る。すなわち、管制サーバー３００は、無線端末制御部２２０が無線端末１００のＧＰＳ受信装置１１０、マイク１３０、カメラ１４０を作動させる制御信号の生成可否を確認可能に無線端末制御部２２０と通信するように構成され得る。このような管制サーバー３００は、無線端末制御部２２０で制御信号が生成されたものと確認されれば、無線端末１００から無線端末の位置情報、無線端末周辺の音声情報、前記無線端末周辺の映像情報を含む危急現場情報と無線端末１００で活性化した緊急救助信号を受信することができる。
【００３０】
また、管制サーバー３００は、無線端末１００の通信サービスを提供する通信社サーバーから提供される無線端末のユーザ情報を危険状況処理端末４００の後述する受信部４１０に出力するように構成され得る。
【００３１】
危険状況処理端末４００は、管制サーバー３００と通信可能であり、緊急救助信号に対応して危険状況を処理するために設けられる。危険状況処理端末４００は、管制サーバー３００と通信して前記危急現場情報を受信する受信部４１０と、受信部４１０で受信された危急現場情報を出力して現場危険レベルを判断する危急現場情報出力部４２０と、現場危険レベルに合う危急状況処理段階を実施するために提供される状況処理手段４３０とを具備することができる。
【００３２】
受信部４１０は、危急現場情報保存部４１１、呼出情報出力部４１２、および端末連結部４１３を含むことができる。
【００３３】
危急現場情報保存部４１１には、受信部４１０が管制サーバー３００と通信して管制サーバー３００から受信される危急現場情報がリアルタイムでアップデートされ得る。
【００３４】
呼出情報出力部４１２は、管制サーバー３００と通信して無線端末１００からの緊急救助信号を受信し、受信された緊急救助信号に対応する無線端末１００のユーザ情報および緊急救助信号が受信された時点の時間情報を出力するように構成され得る。
【００３５】
端末連結部４１３は、緊急救助信号が呼出情報出力部４１２に受信されれば、危険状況処理端末４００を無線端末１００と直接的な通信が可能に連結することができる。端末連結部４１３は、システム管理者の選択に応じて動作するように構成され得る。例えば、危険状況処理端末４００にボタン式で構成され得る。
【００３６】
危急現場情報出力部４２０は、位置情報表示部４２１、音声出力部４２２、および映像表示部４２３を含むことができる。位置情報表示部４２１は、受信部４１０を介して受信された無線端末１００の位置情報を地図の形態で表示することができる。音声出力部４２２は、受信部４１０を介して受信された無線端末周辺の音声情報を音声で出力することができる。映像表示部４２３は、受信部４１０を介して受信された無線端末周辺の映像情報を映像で表示することができる。システム管理者は、このような危急現場情報出力部４２０を介して提供される情報を用いて現場危険レベルを判断することができる。
【００３７】
状況処理手段４３０は、音声出力部４２２の作動をオン／オフさせる音声出力選択部４３１と、映像表示部４２３の作動をオン／オフさせる映像表示選択部４３２と、人命救助機関を呼び出す人命救助機関呼出部４３３と、無線端末１００との音声通話機能を提供する音声通話部４３４とを含むことができる。このような状況処理手段４３０は、システム管理者が前記危急現場情報出力部４２０を介して確認して判断した現場危険レベルによって制御され得る。
【００３８】
図３は、図１で説明される危険状況処理端末において情報が表示される例示を示す図であって、危険状況処理端末４００は、大型スクリーン４７０を含むことができ、大型スクリーン４７０には、受信部４１０の呼出情報出力部４１２を介して出力される無線端末１００のユーザ情報を出力する領域、無線端末の位置情報を地図の形態で表示する位置情報表示部４２１と、無線端末周辺の映像情報を映像で表示する映像表示部４２３が配置され得る。したがって、図４に示されたように、大型スクリーン４７０の一画面で危急現場情報を確認することができる。
【００３９】
なお、本発明の一実施形態による人命緊急救助システムは、状況終了ボタン４４０、呼出情報保存部４５０および音声データ保存部４６０をさらに含むことができる。
【００４０】
状況終了ボタン４４０は、危険状況処理端末４００を介して現場危険レベルに合う危急状況処理段階が完了すれば、システム管理者により選択されて、状況終了信号を生成することができる。
【００４１】
呼出情報保存部４５０は、状況終了ボタン４４０が選択されて状況終了信号が生成されれば、呼出情報出力部４１２で出力される無線端末のユーザ情報および緊急救助信号が受信された時点の時間情報をリスト化して保存することができる。
【００４２】
音声データ保存部４６０は、音声出力部４２２および音声通話部４３４と連結され、前記音声出力部４２２および音声通話部４３４が作動される場合、音声出力部４２２で出力される音声および音声通話部４３４を介した通話内容が保存され得る。
【００４３】
以下では、このような本発明の一実施形態による人命緊急救助システムを利用した人命緊急救助方法を図４および図５を参照して説明することとする。図４は、本発明の一実施形態による人命緊急救助方法の流れを説明するためのフローチャートであり、図５は、図３で説明されるｃ）段階の流れを示すフローチャートである。
【００４４】
図４を参照すると、本発明の一実施形態による人命緊急救助方法は、ａ）ユーザの緊急信号入力動作によって緊急救助信号を活性化させ、緊急救助信号が活性化した場合、ＧＰＳ受信装置、傾斜センサー、マイク、およびカメラを制御するように構成されたプログラムが設置されている無線端末において前記ＧＰＳ受信装置、マイク、およびカメラを作動させる制御信号が生成されたか否かを管制サーバーで確認する段階（Ｓ１００）と；ｂ）前記制御信号が生成されたものと確認されれば、前記無線端末から前記無線端末の位置情報、前記無線端末周辺の音声情報、前記無線端末周辺の映像情報を含む危急現場情報と前記緊急救助信号を管制サーバーが受信する段階（Ｓ２００）と；ｃ）危険状況処理端末が前記管制サーバーと通信して前記危急現場情報を受信し、受信された危急現場情報を出力して現場危険レベルを判断した後、現場危険レベルに合う危急状況処理段階を実施する段階（Ｓ３００）と；を含むことができる。
【００４５】
前記ａ）段階は、無線端末のユーザが緊急信号入力動作を行う場合に進行される。例えば、無線端末のユーザが無線端末のタッチスクリーン画面上に提供されたボタンタイプのアイコンを５秒以上押す動作または無線端末を５回以上振る動作を行う場合に進行される。このようなユーザの緊急信号の入力動作が行われると、プログラム２００の救助信号活性化部２１０が緊急救助信号を活性化させ、プログラム２００の無線端末制御部２２０では制御信号が生成されて、無線端末１００のＧＰＳ受信装置１１０、マイク１３０、およびカメラ１４０を作動させる。この際、生成される制御信号は、管制サーバー３００で確認される。
【００４６】
前記ｃ）段階は、危険状況処理端末４００で行われる過程である。図４を参照すると、前記ｃ）段階は、前記管制サーバーから受信された危急現場情報をリアルタイムでアップデートして保存する段階（Ｓ３１０）と；前記管制サーバーから無線端末からの緊急救助信号を受信し、受信された緊急救助信号に対応する無線端末のユーザ情報および緊急救助信号が受信された時点の時間情報を出力する段階（Ｓ３２０）と；前記管制サーバーから受信された危急現場情報に含まれた無線端末の位置情報、無線端末周辺の音声情報、無線端末周辺の映像情報を表示する段階（Ｓ３３０）と；前記危急現場情報を確認して現場危険レベルの程度に応じて通話を試みたり人命救助機関を呼び出す段階（Ｓ３４０）と；緊急救助過程を終了するための状況終了信号を生成して緊急救助過程を終了させる段階（Ｓ３５０）と；を含むことができる。
【００４７】
前記Ｓ３１０段階で、危険状況処理端末４００の受信部４１０の危急現場情報保存部４１１に危急現場情報がリアルタイムでアップデートされて保存される。
【００４８】
前記Ｓ３２０段階で、危険状況処理端末４００の呼出情報出力部４１２を介して無線端末１００からの緊急救助信号を受信し、受信された緊急救助信号に対応する無線端末１００のユーザ情報および前記緊急救助信号が受信された時点の時間情報を出力する。例えば、危険状況処理端末４００の大型スクリーン４７０の一側に表示され得る。
【００４９】
前記Ｓ３３０段階で、システム管理者は、端末連結部４１３を作動させて危険状況処理端末４００が無線端末１００と直接的な通信が可能に連結することができる。これは、緊急救助支援を許可する過程である。端末連結部４１３が作動された後、位置情報表示部４２１、音声出力部４２２、映像表示部４２３を介して無線端末の位置情報、無線端末周辺の音声情報、無線端末周辺の映像情報が表示および出力され得る。この際、音声出力部４２２が作動されれば、音声データ保存部４６０は、音声出力部４２２から出力される音声を保存する。
【００５０】
前記Ｓ３４０段階で、システム管理者は、位置情報表示部４２１、音声出力部４２２、映像表示部４２３を介して表示および出力される危急現場情報を確認して現場危険レベルを判断し、現場危険レベルが通話可能な程度のレベルであれば、音声通話部４３４を作動させて、システム管理者は緊急救助信号を生成した無線端末１００のユーザと通話を試み、現場危険レベルが通話不可能である高危険レベルであれば、システム管理者は、直ちに人命救助機関呼出部４３３を作動させて、人命救助機関、例えば、警察署、消防署、１１９救助隊などを呼び出すことができる。
【００５１】
また、Ｓ３４０段階で音声通話部４３４が作動される場合、音声通話部４３４を介した通話内容は、音声データ保存部４６０に保存される。
【００５２】
前記Ｓ３５０段階で、システム管理者は、状況終了ボタン４４０を作動させて状況終了信号を生成して緊急救助過程を終了させ、状況終了ボタン４４０が作動されて状況終了信号が生成されれば、呼出情報保存部４５０は、呼出情報出力部で出力される無線端末のユーザ情報および緊急救助信号が受信された時点の時間情報をリスト化して保存する。
【００５３】
このような本発明の一実施形態による人命緊急救助システムおよびこれを利用した人命緊急救助方法を利用すれば、無線端末を所持した無線端末のユーザは、迅速に緊急救助信号を生成することができ、緊急救助信号が生成された後、無線端末のユーザが位置した現場の状況をリアルタイムで直ちに確認して、無線端末のユーザの現在の危険レベルに合う迅速な措置が行われ得るという利点がある。
【００５４】
提示された実施形態に対する説明は、任意の本発明の技術分野における通常の知識を有する者が本発明を利用したりまたは実施することができるように提供される。このような実施形態に関する多様な変形は、本発明の技術分野における通常の知識を有する者に明白であり、ここに定義された一般的な原理は、本発明の範囲を逸脱することなく、他の実施形態に適用され得る。また、本発明は、ここに提示された実施形態に限定されるものではなく、ここに提示された原理および新規の特徴と一貫した最広義の範囲で解釈されなければならない。
【産業上の利用可能性】
【００５５】
本発明による緊急救助システムおよびこれを利用した人命緊急救助方法は、危急の状況の場合にモバイル端末のユーザの危険水準の程度による適切な対処が可能な技術であって、携帯が容易なモバイル端末などに適用され得る。
【図１】
2019507927.tif 000003
【図２】
2019507927.tif 000004
【図３】
2019507927.tif 000005
【図４】
2019507927.tif 000006
【図５】
2019507927.tif 000007
【手続補正書】
【提出日】平成30年12月5日(2018.12.5)
【手続補正１】
【補正対象書類名】明細書
【補正対象項目名】全文
【補正方法】変更
【補正の内容】
【発明の詳細な説明】
【技術分野】
【０００１】
本発明は、韓国科学技術情報通信部（ＭＳＩＴ）及び韓国情報通信産業振興院（ＮＩＰＡ）によって主催されたグローバル・ＳａａＳ・インキュベイティング・プロジェクト（ＧＳＩＰ）（プロジェクト番号：C0401-18-1018, 2018.04.01-2018.11.30）（プロジェクト名：モバイル・ナショナル・セーフティ・イマージェンシー・サービス・システムにおけるＳａａＳのグローバル化及び発展）の成果の１つである。
【０００２】
本発明は、人命緊急救助システムおよびこれを利用した人命緊急救助方法に関し、より詳細には、危急状況に迅速に対処可能な人命緊急救助システムおよびこれを利用した人命緊急救助方法に関する。
【背景技術】
【０００３】
最近、移動通信加入者の爆発的な増加に伴い、スマートフォン、タブレットパソコンなどのモバイル端末は、この頃家庭の周辺で頻繁に見ることができる必需品として認識するようになるにつれて、モバイル端末の製造メーカーは、さらに良い性能を有し、多機能性のモバイル端末を発売していて、これと歩調を合わせて通信サービス業界では、さらに高い水準の通信サービスおよび様々な付加サービスを提供している。
【０００４】
このように、近年、発売される通信サービスのうちモバイル端末の発信地の追跡を介したユーザの位置を確認できる技術が開発されるにつれて、ユーザに応急状況が発生する場合、これをユーザが携帯したモバイル端末で自動発信されて応急機関または警察署などの司法機関に救助を要請する救助要請機能を有するモバイル端末および移動通信サービスが発売されている。
【０００５】
しかしながら、モバイル端末の発信地の追跡を介したユーザ位置を確認する方法にてモバイル端末ユーザの危急状況を把握するのは困難である。すなわち、危急の状況の場合にユーザのモバイル端末で発信される位置だけではユーザの位置のみを把握することができ、ユーザの現在の位置における危険状況の程度を把握することは不可能である。
【０００６】
また、モバイル端末を介した救助要請過程で警察官、１１９隊員が現場に出動した場合、危急状況の程度がモバイル端末のユーザが自ら対処可能な程度であるか、危急状況が解除された場合、出動した警察官、１１９隊員は不要に現場に移動するようになるにつれて、他の危急状況の対処が難しくなる問題がある。
【０００７】
したがって、従来のモバイル端末を利用した構造システムは、危急の状況の場合にモバイル端末ユーザの危険水準の程度による適切な対処が難しいという問題があった。
【発明の概要】
【発明が解決しようとする課題】
【０００８】
したがって、本発明が解決しようとする課題は、無線端末を所持した無線端末のユーザは、迅速に緊急救助信号を生成することができ、緊急救助信号が生成された後、無線端末のユーザが位置した現場の状況をリアルタイムで直ちに確認して、無線端末のユーザの現在の危険レベルに合う迅速な措置が行われ得るようにした人命緊急救助システムおよびこれを利用した人命緊急救助方法を提供することにある。
【課題を解決するための手段】
【０００９】
前述した課題を解決するための本発明による人命緊急救助システムは、インターネット網を介してプログラムのダウンロードが可能であり、ＧＰＳ受信装置、傾斜センサー、マイク、カメラが設けられた無線端末と；前記インターネット網を介して前記無線端末にダウンロード可能に提供され、前記無線端末で実行されるユーザの緊急信号の入力動作によって緊急救助信号を活性化させる救助信号活性化部と、前記救助信号活性化部と連結され、前記救助信号活性化部で緊急救助信号が活性化すれば、前記無線端末のＧＰＳ受信装置、マイク、カメラを作動させる無線端末制御部とを含むダウンロード可能なプログラムと；前記制御部が前記無線端末のＧＰＳ受信装置、マイク、カメラを作動させる制御信号の生成可否を確認可能に前記制御部と通信し、前記制御信号が生成されたものと確認されれば、前記無線端末から前記無線端末の位置情報、前記無線端末の周辺の音声情報、前記無線端末の周辺の映像情報を含む危急現場情報と前記緊急救助信号を受信するように構成された管制サーバーと；前記管制サーバーと通信して前記危急現場情報を受信する受信部と、前記受信部で受信された危急現場情報を出力して現場危険レベルを判断する危急現場情報出力部と、前記現場危険レベルに合う危急状況処理段階を実施するために提供される状況処理手段とを具備する危険状況処理端末と；を含むことを特徴とする。
【００１０】
一実施形態において、前記救助信号活性化部は、前記無線端末のタッチスクリーン画面に前記緊急信号入力動作の作動のためのボタンタイプのアイコンを表示するように構成され、前記救助信号活性化部は、前記アイコンを押す緊急信号入力動作が一定時間持続する場合、および前記傾斜センサーで傾斜が発生する傾斜動作回数が一定回数以上であれば、前記緊急救助信号を活性化させるように構成され得る。
【００１１】
一実施形態において、前記管制サーバーは、前記無線端末の通信サービスを提供する通信社サーバーから提供される前記無線端末のユーザ情報を前記受信部に出力するように構成され、前記受信部は、前記危急現場情報がリアルタイムでアップデートされる危急現場情報保存部と；前記管制サーバーと通信して前記無線端末からの緊急救助信号を受信し、受信された緊急救助信号に対応する無線端末のユーザ情報および前記緊急救助信号が受信された時点の時間情報を出力する呼出情報出力部と；前記緊急救助信号が前記呼出情報出力部に受信されれば、前記危険状況処理端末を前記無線端末と直接的な通信が可能に連結する端末連結部と；を含むことができる。
【００１２】
一実施形態において、前記危急現場情報出力部は、前記受信部を介して受信された前記無線端末の位置情報を地図の形態で表示する位置情報表示部と；前記受信部を介して受信された前記無線端末周辺の音声情報を音声で出力する音声出力部と；前記受信部を介して受信された前記無線端末周辺の映像情報を映像で表示する映像表示部と；を含み、前記状況処理手段は、前記音声出力部の作動をオン／オフさせる音声出力選択部と；前記映像表示部の作動をオン／オフさせる映像表示選択部と；人命救助機関を呼び出す人命救助機関呼出部と；前記無線端末との音声通話機能を提供する音声通話部と；を含むことができる。
【００１３】
一実施形態において、前記危急状況処理端末は、状況終了ボタンと；前記状況終了ボタンが選択されれば、前記呼出情報出力部で出力される無線端末のユーザ情報および緊急救助信号が受信された時点の時間情報をリスト化して保存する呼出情報保存部と；前記音声出力部および音声通話部と連結され、前記音声出力部および音声通話部が作動される場合、前記音声出力部で出力される音声および前記音声通話部を介した通話内容を保存する音声データ保存部と；をさらに含むことができる。
【００１４】
本発明の一実施形態による人命緊急救助方法は、ａ）無線端末のユーザの緊急信号入力動作によって緊急救助信号を活性化させ、緊急救助信号が活性化した場合、ＧＰＳ受信装置、傾斜センサー、マイク、カメラを制御するように構成されたプログラムが設置されている無線端末において前記ＧＰＳ受信装置、マイク、カメラを作動させる制御信号が生成されたか否かを管制サーバーで確認する段階と；
ｂ）前記制御信号が生成されたものと確認されれば、前記無線端末から前記無線端末の位置情報、前記無線端末周辺の音声情報、前記無線端末周辺の映像情報を含む危急現場情報と前記緊急救助信号を管制サーバーが受信する段階と；
ｃ）危険状況処理端末が前記管制サーバーと通信して前記危急現場情報を受信し、受信された危急現場情報を出力して現場危険レベルを判断した後、現場危険レベルに合う危急状況処理段階を実施する段階と；を含むことを特徴とする。
【００１５】
一実施形態において、前記ｃ）段階は、前記管制サーバーから受信された危急現場情報をリアルタイムでアップデートして保存する段階と；前記管制サーバーから無線端末からの緊急救助信号を受信し、受信された緊急救助信号に対応する無線端末のユーザ情報および緊急救助信号が受信された時点の時間情報を出力する段階と；前記管制サーバーから受信された危急現場情報に含まれた無線端末の位置情報、無線端末周辺の音声情報、無線端末周辺の映像情報を表示する段階と；前記危急現場情報を確認して現場危険レベルの程度に応じて通話を試みたり人命救助機関を呼び出す段階と；緊急救助過程を終了するための状況終了信号を生成して緊急救助過程を終了させる段階と；を含むことができる。
【発明の効果】
【００１６】
本発明による人命緊急救助システムおよびこれを利用した人命緊急救助方法によれば、無線端末を所持した無線端末のユーザは、迅速に緊急救助信号を生成することができ、緊急救助信号が生成された後、無線端末のユーザが位置する現場の状況をリアルタイムで直ちに確認して、無線端末のユーザの現在の危険レベルに合う迅速な措置が行われ得るという利点がある。
【図面の簡単な説明】
【００１７】
【図１】図１は、本発明の一実施形態による人命緊急救助システムを説明するためのブロック図である。
【図２】図２は、図１で説明される救助信号活性化部を介して提供されるアイコンが無線端末の画面に表示される形態を例示する図である。
【図３】図３は、図１で説明される危険状況処理端末において情報が表示される例示を示す図である。
【図４】図４は、本発明の一実施形態による人命緊急救助方法の流れを説明するためのフローチャートである。
【図５】図５は、図３で説明されるｃ）段階の流れを示すフローチャートである。
【発明を実施するための形態】
【００１８】
本発明による人命緊急救助システムは、インターネット網を介してプログラムのダウンロードが可能であり、ＧＰＳ受信装置、傾斜センサー、マイク、カメラが設けられた無線端末と；前記インターネット網を介して前記無線端末にダウンロード可能に提供され、前記無線端末で実行されるユーザの緊急信号入力動作によって緊急救助信号を活性化させる救助信号活性化部と、前記救助信号活性化部と連結され、前記救助信号活性化部で緊急救助信号が活性化すれば、前記無線端末のＧＰＳ受信装置、マイク、カメラを作動させる無線端末制御部とを含むダウンロード可能なプログラムと；前記制御部が前記無線端末のＧＰＳ受信装置、マイク、カメラを作動させる制御信号の生成可否を確認可能に前記制御部と通信し、前記制御信号が生成されたものと確認されれば、前記無線端末から前記無線端末の位置情報、前記無線端末周辺の音声情報、前記無線端末周辺の映像情報を含む危急現場情報と前記緊急救助信号を受信するように構成された管制サーバーと；前記管制サーバーと通信して前記危急現場情報を受信する受信部と、前記受信部で受信された危急現場情報を出力して現場危険レベルを判断する危急現場情報出力部と、前記現場危険レベルに合う危急状況処理段階を実施するために提供される状況処理手段とを具備する危険状況処理端末と；を含むことができる。
【００１９】
また、本発明による人命緊急救助方法は、ａ）無線端末のユーザの緊急信号入力動作によって緊急救助信号を活性化させ、緊急救助信号が活性化した場合、ＧＰＳ受信装置、傾斜センサー、マイク、カメラを制御するように構成されたプログラムが設置されている無線端末において前記ＧＰＳ受信装置、マイク、カメラを作動させる制御信号が生成されたか否かを管制サーバーで確認する段階と、
ｂ）前記制御信号が生成されたものと確認されれば、前記無線端末から前記無線端末の位置情報、前記無線端末周辺の音声情報、前記無線端末周辺の映像情報を含む危急現場情報と前記緊急救助信号を管制サーバーが受信する段階と、
ｃ）危険状況処理端末が前記管制サーバーと通信して前記危急現場情報を受信し、受信された危急現場情報を出力して現場危険レベルを判断した後、現場危険レベルに合う危急状況処理段階を実施する段階とを含むことができる。
【００２０】
以下、添付の図面を参照して本発明の実施形態による人命緊急救助システムおよびこれを利用した人命緊急救助方法について詳細に説明する。本発明は、多様な変更を加えることができ、様々な形態を有することができるところ、特定の実施形態を図面に例示し、本文に詳細に説明しようとする。しかし、これは、本発明を特定の開示形態に対して限定しようとするものではなく、本発明の思想および技術範囲に含まれるすべての変更、均等物ないし代替物を含むものと理解されなければならない。各図面を説明するに際して、類似の参照符号を類似の構成要素に対して使用した。添付の図面において、構造物の寸法は、本発明の明確性を図るために実際より拡大して示したものである。
【００２１】
第１、第２等の用語は、多様な構成要素を説明するのに使用され得るが、前記構成要素は、前記用語により限定されるものではない。前記用語は、一つの構成要素を他の構成要素から区別する目的だけで使用される。例えば、本発明の権利範囲を逸脱することなく、第１構成要素は、第２構成要素と命名され得、同様に、第２構成要素も第１構成要素と命名され得る。
【００２２】
本出願で使用した用語は、単に特定の実施形態を説明するために使用されたものであって、本発明を限定しようとする意図ではない。単数の表現は、文脈上明白に異なって意味しない限り、複数の表現を含む。本出願で「含む」または「有する」等の用語は、明細書上に記載された特徴、数字、段階、動作、構成要素、部分品またはこれらを組み合わせたものが存在することを指定しようとするものであって、一つまたはそれ以上の他の特徴や数字、段階、動作、構成要素、部分品またはこれらを組み合わせたものの存在または付加可能性をあらかじめ排除しないものと理解されなければならない。
【００２３】
異なって定義されない限り、技術的や科学的な用語を含んでここで使用されるすべての用語は、本発明の属する技術分野における通常の知識を有する者により一般的に理解されるものと同じ意味を有している。一般的に使用される辞書に定義されているもののような用語は、関連技術の文脈上有する意味と一致する意味を有するものと解釈されるべきであり、本出願で明白に定義しない限り、理想的または過度に形式的な意味と解釈されない。
【００２４】
図１は、本発明の一実施形態による人命緊急救助システムを説明するためのブロック図である。
図１を参照すると、本発明の一実施形態による人命緊急救助システムは、無線端末１００と、前記無線端末１００にダウンロード可能なプログラム２００と、管制サーバー３００と、危険状況処理端末４００とを含むことができる。
【００２５】
無線端末１００は、インターネット網を介してプログラムのダウンロードが可能であり、ＧＰＳ受信装置１１０、傾斜センサー１２０、マイク１３０、およびカメラ１４０が設けられる端末である。無線端末１００は、個人が携帯可能な端末であって、例えば、スマートフォン、タブレットパソコンのうちいずれか一つでありうる。
【００２６】
プログラム２００は、インターネット網を介して無線端末１００にダウンロード可能に提供され、前記無線端末１００に設置され得る。プログラム２００は、救助信号活性化部２１０および無線端末制御部２２０を含むことができる。
【００２７】
救助信号活性化部２１０は、無線端末１００のユーザが緊急救助を要請することができるようにする。このために、救助信号活性化部２１０は、無線端末１００のタッチスクリーン画面１０１にユーザの緊急信号入力動作の作動のためのボタンタイプのアイコン２１１を表示するように構成される。無線端末１００のタッチスクリーン画面１０１にボタンタイプのアイコン２１１が提供された状態は、図２に例示されている。前記アイコン２１１は、無線端末１００のタッチスクリーン画面１０１内で位置移動が可能に提供され得、無線端末１００のタッチスクリーン画面１０１がロックされた状態およびタッチスクリーン画面１０１が無線端末１００の操作が可能に開かれた状態で常に露出するように提供され得る。
【００２８】
また、救助信号活性化部２１０は、無線端末１００に提供された前記アイコン２１１をユーザが押す緊急信号入力動作が一定時間持続する場合、および無線端末１００の傾斜センサー１２０で傾斜が発生する傾斜動作回数が一定回数以上であれば、緊急救助信号を活性化させるように構成され得る。例えば、前記緊急信号入力動作が５秒以上持続する場合、緊急救助信号を活性化させることができ、前記傾斜センサー１２０で傾斜が発生する回数が５回以上持続する場合、緊急救助信号を活性化させるように構成され得る。
【００２９】
無線端末制御部２２０は、前記救助信号活性化部２１０と連結され、救助信号活性化部２１０で緊急救助信号が活性化すれば、制御信号が生成されて、無線端末１００のＧＰＳ受信装置１１０、マイク１３０、およびカメラ１４０を作動させるように構成され得る。
【００３０】
管制サーバー３００は、無線端末１００と通信して無線端末１００に提供されたプログラム２００を介して無線端末制御部２２０の作動可否の確認が可能に構成され得る。すなわち、管制サーバー３００は、無線端末制御部２２０が無線端末１００のＧＰＳ受信装置１１０、マイク１３０、カメラ１４０を作動させる制御信号の生成可否を確認可能に無線端末制御部２２０と通信するように構成され得る。このような管制サーバー３００は、無線端末制御部２２０で制御信号が生成されたものと確認されれば、無線端末１００から無線端末の位置情報、無線端末周辺の音声情報、前記無線端末周辺の映像情報を含む危急現場情報と無線端末１００で活性化した緊急救助信号を受信することができる。
【００３１】
また、管制サーバー３００は、無線端末１００の通信サービスを提供する通信社サーバーから提供される無線端末のユーザ情報を危険状況処理端末４００の後述する受信部４１０に出力するように構成され得る。
【００３２】
危険状況処理端末４００は、管制サーバー３００と通信可能であり、緊急救助信号に対応して危険状況を処理するために設けられる。危険状況処理端末４００は、管制サーバー３００と通信して前記危急現場情報を受信する受信部４１０と、受信部４１０で受信された危急現場情報を出力して現場危険レベルを判断する危急現場情報出力部４２０と、現場危険レベルに合う危急状況処理段階を実施するために提供される状況処理手段４３０とを具備することができる。
【００３３】
受信部４１０は、危急現場情報保存部４１１、呼出情報出力部４１２、および端末連結部４１３を含むことができる。
【００３４】
危急現場情報保存部４１１には、受信部４１０が管制サーバー３００と通信して管制サーバー３００から受信される危急現場情報がリアルタイムでアップデートされ得る。
【００３５】
呼出情報出力部４１２は、管制サーバー３００と通信して無線端末１００からの緊急救助信号を受信し、受信された緊急救助信号に対応する無線端末１００のユーザ情報および緊急救助信号が受信された時点の時間情報を出力するように構成され得る。
【００３６】
端末連結部４１３は、緊急救助信号が呼出情報出力部４１２に受信されれば、危険状況処理端末４００を無線端末１００と直接的な通信が可能に連結することができる。端末連結部４１３は、システム管理者の選択に応じて動作するように構成され得る。例えば、危険状況処理端末４００にボタン式で構成され得る。
【００３７】
危急現場情報出力部４２０は、位置情報表示部４２１、音声出力部４２２、および映像表示部４２３を含むことができる。位置情報表示部４２１は、受信部４１０を介して受信された無線端末１００の位置情報を地図の形態で表示することができる。音声出力部４２２は、受信部４１０を介して受信された無線端末周辺の音声情報を音声で出力することができる。映像表示部４２３は、受信部４１０を介して受信された無線端末周辺の映像情報を映像で表示することができる。システム管理者は、このような危急現場情報出力部４２０を介して提供される情報を用いて現場危険レベルを判断することができる。
【００３８】
状況処理手段４３０は、音声出力部４２２の作動をオン／オフさせる音声出力選択部４３１と、映像表示部４２３の作動をオン／オフさせる映像表示選択部４３２と、人命救助機関を呼び出す人命救助機関呼出部４３３と、無線端末１００との音声通話機能を提供する音声通話部４３４とを含むことができる。このような状況処理手段４３０は、システム管理者が前記危急現場情報出力部４２０を介して確認して判断した現場危険レベルによって制御され得る。
【００３９】
図３は、図１で説明される危険状況処理端末において情報が表示される例示を示す図であって、危険状況処理端末４００は、大型スクリーン４７０を含むことができ、大型スクリーン４７０には、受信部４１０の呼出情報出力部４１２を介して出力される無線端末１００のユーザ情報を出力する領域、無線端末の位置情報を地図の形態で表示する位置情報表示部４２１と、無線端末周辺の映像情報を映像で表示する映像表示部４２３が配置され得る。したがって、図４に示されたように、大型スクリーン４７０の一画面で危急現場情報を確認することができる。
【００４０】
なお、本発明の一実施形態による人命緊急救助システムは、状況終了ボタン４４０、呼出情報保存部４５０および音声データ保存部４６０をさらに含むことができる。
【００４１】
状況終了ボタン４４０は、危険状況処理端末４００を介して現場危険レベルに合う危急状況処理段階が完了すれば、システム管理者により選択されて、状況終了信号を生成することができる。
【００４２】
呼出情報保存部４５０は、状況終了ボタン４４０が選択されて状況終了信号が生成されれば、呼出情報出力部４１２で出力される無線端末のユーザ情報および緊急救助信号が受信された時点の時間情報をリスト化して保存することができる。
【００４３】
音声データ保存部４６０は、音声出力部４２２および音声通話部４３４と連結され、前記音声出力部４２２および音声通話部４３４が作動される場合、音声出力部４２２で出力される音声および音声通話部４３４を介した通話内容が保存され得る。
【００４４】
以下では、このような本発明の一実施形態による人命緊急救助システムを利用した人命緊急救助方法を図４および図５を参照して説明することとする。図４は、本発明の一実施形態による人命緊急救助方法の流れを説明するためのフローチャートであり、図５は、図３で説明されるｃ）段階の流れを示すフローチャートである。
【００４５】
図４を参照すると、本発明の一実施形態による人命緊急救助方法は、ａ）ユーザの緊急信号入力動作によって緊急救助信号を活性化させ、緊急救助信号が活性化した場合、ＧＰＳ受信装置、傾斜センサー、マイク、およびカメラを制御するように構成されたプログラムが設置されている無線端末において前記ＧＰＳ受信装置、マイク、およびカメラを作動させる制御信号が生成されたか否かを管制サーバーで確認する段階（Ｓ１００）と；ｂ）前記制御信号が生成されたものと確認されれば、前記無線端末から前記無線端末の位置情報、前記無線端末周辺の音声情報、前記無線端末周辺の映像情報を含む危急現場情報と前記緊急救助信号を管制サーバーが受信する段階（Ｓ２００）と；ｃ）危険状況処理端末が前記管制サーバーと通信して前記危急現場情報を受信し、受信された危急現場情報を出力して現場危険レベルを判断した後、現場危険レベルに合う危急状況処理段階を実施する段階（Ｓ３００）と；を含むことができる。
【００４６】
前記ａ）段階は、無線端末のユーザが緊急信号入力動作を行う場合に進行される。例えば、無線端末のユーザが無線端末のタッチスクリーン画面上に提供されたボタンタイプのアイコンを５秒以上押す動作または無線端末を５回以上振る動作を行う場合に進行される。このようなユーザの緊急信号の入力動作が行われると、プログラム２００の救助信号活性化部２１０が緊急救助信号を活性化させ、プログラム２００の無線端末制御部２２０では制御信号が生成されて、無線端末１００のＧＰＳ受信装置１１０、マイク１３０、およびカメラ１４０を作動させる。この際、生成される制御信号は、管制サーバー３００で確認される。
【００４７】
前記ｃ）段階は、危険状況処理端末４００で行われる過程である。図４を参照すると、前記ｃ）段階は、前記管制サーバーから受信された危急現場情報をリアルタイムでアップデートして保存する段階（Ｓ３１０）と；前記管制サーバーから無線端末からの緊急救助信号を受信し、受信された緊急救助信号に対応する無線端末のユーザ情報および緊急救助信号が受信された時点の時間情報を出力する段階（Ｓ３２０）と；前記管制サーバーから受信された危急現場情報に含まれた無線端末の位置情報、無線端末周辺の音声情報、無線端末周辺の映像情報を表示する段階（Ｓ３３０）と；前記危急現場情報を確認して現場危険レベルの程度に応じて通話を試みたり人命救助機関を呼び出す段階（Ｓ３４０）と；緊急救助過程を終了するための状況終了信号を生成して緊急救助過程を終了させる段階（Ｓ３５０）と；を含むことができる。
【００４８】
前記Ｓ３１０段階で、危険状況処理端末４００の受信部４１０の危急現場情報保存部４１１に危急現場情報がリアルタイムでアップデートされて保存される。
【００４９】
前記Ｓ３２０段階で、危険状況処理端末４００の呼出情報出力部４１２を介して無線端末１００からの緊急救助信号を受信し、受信された緊急救助信号に対応する無線端末１００のユーザ情報および前記緊急救助信号が受信された時点の時間情報を出力する。例えば、危険状況処理端末４００の大型スクリーン４７０の一側に表示され得る。
【００５０】
前記Ｓ３３０段階で、システム管理者は、端末連結部４１３を作動させて危険状況処理端末４００が無線端末１００と直接的な通信が可能に連結することができる。これは、緊急救助支援を許可する過程である。端末連結部４１３が作動された後、位置情報表示部４２１、音声出力部４２２、映像表示部４２３を介して無線端末の位置情報、無線端末周辺の音声情報、無線端末周辺の映像情報が表示および出力され得る。この際、音声出力部４２２が作動されれば、音声データ保存部４６０は、音声出力部４２２から出力される音声を保存する。
【００５１】
前記Ｓ３４０段階で、システム管理者は、位置情報表示部４２１、音声出力部４２２、映像表示部４２３を介して表示および出力される危急現場情報を確認して現場危険レベルを判断し、現場危険レベルが通話可能な程度のレベルであれば、音声通話部４３４を作動させて、システム管理者は緊急救助信号を生成した無線端末１００のユーザと通話を試み、現場危険レベルが通話不可能である高危険レベルであれば、システム管理者は、直ちに人命救助機関呼出部４３３を作動させて、人命救助機関、例えば、警察署、消防署、１１９救助隊などを呼び出すことができる。
【００５２】
また、Ｓ３４０段階で音声通話部４３４が作動される場合、音声通話部４３４を介した通話内容は、音声データ保存部４６０に保存される。
【００５３】
前記Ｓ３５０段階で、システム管理者は、状況終了ボタン４４０を作動させて状況終了信号を生成して緊急救助過程を終了させ、状況終了ボタン４４０が作動されて状況終了信号が生成されれば、呼出情報保存部４５０は、呼出情報出力部で出力される無線端末のユーザ情報および緊急救助信号が受信された時点の時間情報をリスト化して保存する。
【００５４】
このような本発明の一実施形態による人命緊急救助システムおよびこれを利用した人命緊急救助方法を利用すれば、無線端末を所持した無線端末のユーザは、迅速に緊急救助信号を生成することができ、緊急救助信号が生成された後、無線端末のユーザが位置した現場の状況をリアルタイムで直ちに確認して、無線端末のユーザの現在の危険レベルに合う迅速な措置が行われ得るという利点がある。
【００５５】
提示された実施形態に対する説明は、任意の本発明の技術分野における通常の知識を有する者が本発明を利用したりまたは実施することができるように提供される。このような実施形態に関する多様な変形は、本発明の技術分野における通常の知識を有する者に明白であり、ここに定義された一般的な原理は、本発明の範囲を逸脱することなく、他の実施形態に適用され得る。また、本発明は、ここに提示された実施形態に限定されるものではなく、ここに提示された原理および新規の特徴と一貫した最広義の範囲で解釈されなければならない。
【産業上の利用可能性】
【００５６】
本発明による緊急救助システムおよびこれを利用した人命緊急救助方法は、危急の状況の場合にモバイル端末のユーザの危険水準の程度による適切な対処が可能な技術であって、携帯が容易なモバイル端末などに適用され得る。
【国際調査報告】
2019507927.tif 000008
2019507927.tif 000009
2019507927.tif 000010
2019507927.tif 000011